(57)【要約】【課題】集合する前の被計量物の長さが短く、そのバラツキが少ない状態で振り分けを行い、高速処理を可能とし、被計量物の割れ欠けを防止し、小型で簡素な構造の組合せ計量装置を提供する。【解決手段】被計量物２０を供給する供給トラフ３と、供給トラフ３の下方に鉛直方向に連続して配設される複数のホッパ４とによってチャンネル８をなし、複数のチャンネル８が横一列に並べて構成されている組合せ計量装置１であって、チャンネル８の下方に配置され全チャンネルにわたって一体的に形成され、被計量物２０を所定量ずつに振り分ける振分け手段９と、振分け手段９の下方に複数配設され被計量物２０を複数箇所に排出するシュート１１と、を具備する。【選択図】        図１
2004257759.tif 000002
【特許請求の範囲】
【請求項１】
被計量物（２０）を供給する供給トラフ（３）と、該供給トラフの下方に鉛直方向に連続して配設される複数のホッパ（４）とによってチャンネル（８）をなし、複数の該チャンネルが横一列に並べて構成されている組合せ計量装置（１）であって、
前記チャンネルの下方に配置され全チャンネルにわたって一体的に形成され、前記被計量物を所定量ずつに振り分ける振分け手段（９）と、
前記振分け手段の下方に複数配設され前記被計量物を複数箇所に排出するシュート（１１）と、
を具備することを特徴とする組合せ計量装置。
【請求項２】
被計量物（２０）を供給する供給トラフ（３）と、該供給トラフの下方に鉛直方向に連続して配設される複数のホッパ（４）とによってチャンネル（８）をなし、複数の該チャンネルが横一列に並べて構成されている組合せ計量装置（１）であって、
前記チャンネルの下方に配置され所定数のチャンネルごとに分割して形成され、前記被計量物を所定量ずつに振り分ける複数の振分け手段（９）と、
前記振分け手段の下方に複数配設され前記被計量物を複数箇所に排出するシュート（１１）と、
を具備することを特徴とする組合せ計量装置。
【請求項３】
被計量物（２０）を供給する供給トラフ（３）と、該供給トラフの下方に鉛直方向に連続して配設される複数のホッパ（４）とによってチャンネル（８）をなし、複数の該チャンネルを横一列に並べて構成されている組合せ計量装置（１）であって、
前記チャンネルを構成する前記各ホッパのうち最下段のホッパ（４ａ）がそれぞれ振り分け手段（９）として機能し、
前記振分け手段の下方に複数配設されたシュート（１１）によって前記被計量物を複数箇所に排出することを特徴とする組合せ計量装置。
【請求項４】
前記複数のシュートの各排出口の間隔が調整自在となることを特徴とする請求項１又は請求項２又は請求項３記載の組合せ計量装置。
【請求項５】
前記チャンネルは、前記被計量物を供給する供給トラフと、該供給トラフの下方に配置され前記供給トラフから供給された前記被計量物を所定量蓄え排出するストックホッパ（５）と、該ストックホッパの下方に配置され前記ストックホッパから供給された前記被計量物を計量し排出する計量ホッパ（６）と、該計量ホッパの下方に配設され前記計量ホッパから供給された前記被計量物を蓄え排出するメモリホッパ（７）とからなることを特徴とする請求項１，２，３，４のいずれか１つに記載の組合せ計量装置。
【発明の詳細な説明】
【０００１】
【発明の属する技術分野】
本発明は、食品などの被計量物を所定量ずつ包装するために、被計量物を所定量となるように計算して組み合わせて排出する組合せ計量装置に関するものである。
【０００２】
【従来の技術】
一般に、組合せ計量装置は、複数の計量部で計量された被計量物の組合せの中から目標重量範囲となる組合せを選定し、その選定された被計量物を集合排出するように構成されている。
【０００３】
従来の組合せ計量装置の形状には大別して円形と矩形の２種類のタイプがあった。
【０００４】
このうち、円形の組合せ計量装置は、被計量物を搬送するための複数の供給トラフが分散フィーダ（分散部）を中心として略放射方向に延びて配設され、各供給トラフの先端部の下方に各種ホッパが順次上から下へと複数配置されており、それぞれの最下段のホッパの下方に集合シュートが配置されているものであった。
【０００５】
また、矩形の組合せ計量装置は、被計量物を収納する矩形のタンクの下方に複数の供給トラフが、その供給口を同方向に向けて互いに平行に一列に並んで配設され、各供給トラフの先端部の下方に、円形の組合せ計量装置と同様に、各種ホッパが複数配置されており、更に最下段のホッパの下方に集合シュートが配置されているものであった。
【０００６】
これら従来の円形および矩形の組合せ計量装置では、共に被計量物を供給トラフから最上段の各ホッパに供給し、更に下段のホッパへと供給する。被計量物は、ホッパごとに計量されて所定の重量となるように組合せ選定が行われ、集合シュートに排出される。最終的に集合シュートに集められた被計量物は、集合シュートの排出口から排出される。
【０００７】
しかしながら、近年、計量袋詰商品の需要増加に伴い、その商品の包装工程にも処理の高速化が求められてきた。そこで、組合せ計量、排出の動作よりも処理能力が劣る下部の包装ラインを複数のラインに増やすことによって高速処理を行う方法が考えられた。それに伴い組合せ計量装置は、被計量物を排出させる前段階において、振分け装置によって被計量物を振り分け、複数のシュートに供給し、複数箇所で排出する方法が考えられた。
【０００８】
このように、組合せ計量装置の処理速度を十分に発揮させるには被計量物の排出を２方向以上とし、各方向ごとに包装ラインを設ける必要があったが、そのための具体的構成として、順次排出される被計量物を１つのシュートで収集し、複数箇所で排出する方法が、前述した円形および矩形の組合せ計量装置の双方で考えられていた。
【０００９】
まず、円形の組合せ計量装置１００においては、下記特許文献１に開示され、図４（ａ）に示すように、分散フィーダ１０１，放射フィーダ１０２を介して計量物をプールホッパ１０３に供給する。プールホッパ１０３からは、所定のタイミングで計量ホッパ１０４に計量物が供給され、図示しないロードセル等により計量が行われる。計量ホッパ１０４の下方には、内外２系統の排出経路を有するシュート１０５が配置されている。このシュート１０５は、ロート状の内側シュート１０６の周りに外側シュート１０７が同心円状に配置された構造で、その外側シュート１０７の下端部は、図４（ｂ）に示すように、更に２系統に分離されて左右のタイミングホッパ１０８，１０９に接続されると共に、両タイミングホッパ１０８，１０９は、それぞれ１つの下部シュート１１０に臨まされて、内側及び外側シュート１０６，１０７に排出された計量物は、下部シュート１１０で一体となるように構成されている。
なお、図４（ｂ）は、図４（ａ）を矢線Ａ方向（側面）から見た部分拡大図である。
【００１０】
次に、矩形の組合せ計量装置２００においては、図５に示すように、被計量物２２０を供給する供給トラフ２０４の下方に複数のホッパ２０１が鉛直方向に連続して配設されたチャンネル２０８が構成され、各チャンネル２０８は横一列に並設されていた。
この矩形の計量装置２００においては、各最下段のホッパ２０１ａの下方に各チャンネル２０８共通のロート状の集合シュート２０２が設置され、この集合シュート２０２の排出口２０２ｂの下方に１個の振分け装置２１０が設けられ、更に振分け装置２１０の下方に複数のシュート２０３が設置される構成とされていた。各チャンネル２０８から排出された被計量物２２０は、共通の集合シュート２０２により集められて振分け装置２１０に入り、振分け装置２１０によって複数のシュート２０３のそれぞれの開口２０３ａへ選択的に供給され、それぞれの排出口２０３ｂから排出される。
【００１１】
【特許文献１】
特許第２５６３０９３号公報
【００１２】
【発明が解決しようとする課題】
しかしながら、上述した従来の組合せ計量装置において、まず、円形の組合せ計量装置１００の場合、図４（ａ）に示すように、外側及び内側の両シュート１０６，１０７の形状が円錐形であるため、被計量物を２箇所以上の方向へ排出するためには装置が大掛りなものとなり、その構造が複雑であるという問題があった。
【００１３】
また、矩形の組合せ計量装置２００の場合、図５に示すように、最下段のホッパ２０１ａの排出口からシュート２０３の排出口２０３ｂまでの間に集合シュート２０２と振分け装置２１０がそれぞれ別々に設けられているため、被計量物２２０のライン中の落下高さＨ２は、集合シュート２０２と振分け装置２１０とシュート２０３の各高さの合計分となり、かなり高くなる。そのため、大きな高低差で落下した被計量物２２０に割れ欠けが生じるという問題があった。
また、円形の組合せ計量装置１００と同様に、装置が大掛りなものとなり、その構成が複雑となる問題もあった。
【００１４】
さらに、集合シュート２０２内を流れる被計量物２２０の集合を別々の製品として振り分けるためには、図６に示すように、振り分けるために必要な一定の製品間の距離Ｌを確保する必要があり、この距離Ｌと製品の長さＬ２の合計が振分け装置２１０の能力を決定する。しかし、従来の組合せ計量装置２００においては、図５に示すように、最下段のホッパ２０１ａと振分け装置２１０との間に共通の集合シュート２０２が介在しており、横一列に並んだ各チャンネル２０８の最下段のホッパ２０１ａから被計量物２２０が排出され集合シュート２０２の排出口２０２ｂへと流れる際、排出口２０２ｂに近いチャンネル２０８のホッパ２０１ａから排出される被計量物２２０と排出口２０２ｂから遠いチャンネル２０８のホッパ２０１ａから排出される被計量物２２０とでは、排出口２０２ｂに辿り着くまでの時間に誤差が生じる。そのため、この排出口２０２ｂに辿り着くまでの時間の誤差によって製品の長さが長くなるという要因で組合せ計量装置の処理の高速化が妨げられるという問題があった。
【００１５】
そこで本発明は、上記課題を解消するために、集合する前の被計量物の長さが短く、そのバラツキが少ない状態で振り分けを行い、組合せ計量装置の高速処理を可能とし、被計量物のライン中の割れ欠けを防止し、さらに、小型で簡素な構造の組合せ計量装置を提供することを目的としている。
【００１６】
【課題を解決するための手段】
次に、上記の課題を解決するための手段を、実施の形態に対応する図面を参照して説明する。
この発明の組合せ計量装置によれば、被計量物２０を供給する供給トラフ３と、該供給トラフ３の下方に鉛直方向に連続して配設される複数のホッパ４とによってチャンネル８をなし、複数の該チャンネル８が横一列に並べて構成されている組合せ計量装置１であって、
前記チャンネル８の下方に配置され全チャンネルにわたって一体的に形成され、前記被計量物２０を所定量ずつに振り分ける振分け手段９と、
前記振分け手段９の下方に複数配設され前記被計量物２０を複数箇所に排出するシュート１１と、
を具備することを特徴とする。
【００１７】
また、この発明の組合せ計量装置によれば、被計量物２０を供給する供給トラフ３と、該供給トラフ３の下方に鉛直方向に連続して配設される複数のホッパ４とによってチャンネル８をなし、複数の該チャンネル８が横一列に並べて構成されている組合せ計量装置１であって、
前記チャンネル８の下方に配置され所定数のチャンネル８ごとに分割して形成され、前記被計量物２０を所定量ずつに振り分ける複数の振分け手段９と、
前記振分け手段９の下方に複数配設され前記被計量物２０を複数箇所に排出するシュート１１と、
を具備することを特徴とする。
【００１８】
さらに、この発明の組合せ計量装置によれば、被計量物２０を供給する供給トラフ３と、該供給トラフ３の下方に鉛直方向に連続して配設される複数のホッパ４とによってチャンネル８をなし、複数の該チャンネル８を横一列に並べて構成されている組合せ計量装置１であって、
前記チャンネル８を構成する前記各ホッパ４のうち最下段のホッパ４ａがそれぞれ振り分け手段９として機能し、
前記振分け手段９の下方に複数配設されたシュート１１によって前記被計量物２０を複数箇所に排出することを特徴とする。
【００１９】
このような組合せ計量装置によれば、複数のチャンネル８の各最下段のホッパ４ａから排出された被計量物２０は，従来の計量装置のように一度集めてから振り分けるのではなく、集合させると同時に振分け手段９による振り分けが行われ、シュートに入るため、各チャンネルから振分け手段９に到るまでの時間的誤差が無くなり、被計量物２０の長さＬ１が短くなる。これにより、被計量物２０の振り分けを高速に行うことが可能となる。
また、被計量物２０は、最下段のホッパ４ａからすぐに振分け手段９による振り分けが行われ、振分け手段９に到るまでに装置等を一切設けてないため、計量装置１全体の高さを抑えることが可能となる。したがって、被計量物２０が最下段のホッパ４ａから排出され、シュート１１の排出口１１ｂに到るまでの落下高さが抑えられる。これにより、ライン中の被計量物２０の割れ欠けを防止することが可能となる。
さらに、最下段のホッパ４ａから振分け手段９の間には装置が不要となるため、計量装置１のを小型化が可能となり、また、簡素な構造とすることが可能となる。
【００２０】
また、振分け手段９を、所定数のチャンネル８ごとに対応するよう分割形成することによって、それぞれの振分け手段９を小さい駆動力で動かすことができるようになる。
【００２１】
さらに、ホッパ４自体に振分け機能を持たせることによって、専用の振分け装置１０が不要となる。したがって、計量装置１の小型化が可能となり、また、計量装置１を更に簡素な構造とすることが可能となる。
【００２２】
また、この発明の組合せ計量装置によれば、前記複数のシュート１１の各排出口１１ｂの間隔が調整自在となることを特徴とする。
【００２３】
このような組合せ計量装置によれば、被計量物２０の排出する方向を適当に調整でき、計量装置１を様々な構成の包装機（様々な間隔で配置される包装機の複数のライン等）に対応させることが可能となる。
【００２４】
また、この発明の組合せ計量装置によれば、前記チャンネル８は、前記被計量物２０を供給する供給トラフ３と、該供給トラフ３の下方に配置され前記供給トラフ３から供給された前記被計量物２０を所定量蓄え排出するストックホッパ５と、該ストックホッパ５の下方に配置され前記ストックホッパ５から供給された前記被計量物２０を計量し排出する計量ホッパ６と、該計量ホッパ６の下方に配設され前記計量ホッパ６から供給された前記被計量物２０を蓄え排出するメモリホッパ７とからなることを特徴とする。
【００２５】
このような組合せ計量装置によれば、組合せ選定手段による被計量物２０の選定方法を複数通り得ることが可能となる。
【００２６】
【発明の実施の形態】
以下、本発明の実施の形態を図面を参照して具体的に説明する。
図１（ａ）は本発明による組合せ計量装置の実施の形態を示す側面図、図１（ｂ）は本発明による組合せ計量装置の実施の形態を示す正面図、図２は本発明による組合せ計量装置のラインを流れる被計量物を示す概念図である。
【００２７】
本実施の形態による組合せ計量装置１は、タンク２と、その下方に配設される供給トラフ３と、供給トラフ３の下方に配設されるストックホッパ５と、ストックホッパ５の下方に配設される計量ホッパ６と、計量ホッパ６の下方に配設されるメモリホッパ７と、メモリホッパ７の下方に設けられる振分け装置１０と、振分け装置１０の下方に配設される複数のシュート１１とを主要な構成部材として備えている。
【００２８】
まず、タンク２は、図１に示すように略長方形状の開口部を上下方向に連通する四角形の筒状をなしている。タンク２の下側の開口部は、後述の各供給トラフ３の後端部３ａ上に位置する。タンク２には、上部の開口部から被計量物２０が投入され、この被計量物２０を貯留する。
【００２９】
次に、供給トラフ３は、下流側となる先端部３ｂが一定方向を向いて複数並べられている。即ち、供給トラフ３は、直線状の横一列に並べられた状態で配設されている。また、この供給トラフ３は、後述する構成によって振動し、それによって被計量物２０を下流へ送る。なお、本実施の形態では１０個の供給トラフ３が並設されているが、供給トラフ３の数は、これに限定されるものではない。
【００３０】
前記供給トラフ３は、図示しないモータが回転すると、その回転軸に偏芯して固定された錘によって振動が発生し、トラフ本体が下方へ沈み込みながら外方に変位した後、トラフ本体が上方へ浮き上がりながら内方に変位して、このトラフ本体が繰り返し振動する。この振動によりトラフ本体上の被計量物２０がストックホッパ５へ搬送される。
【００３１】
次に、ストックホッパ５は、それぞれの供給トラフ３の先端部３ｂの下方に配設されている。このストックホッパ５は、上部に開口５ａを有するとともに下部に排出口５ｂを有し、供給トラフ３から供給された被計量物２０を排出口５ｂから排出可能としている。排出口５ｂには、図示しないシャッタが設けられ、駆動部によって開閉駆動される。
【００３２】
計量ホッパ６は、それぞれのストックホッパ５の排出口５ａの下方に配設されている。この計量ホッパ６は、上部に開口６ａを有するとともに下部に排出口６ｂを有し、ストックホッパ５から供給された被計量物２０を排出口６ｂから排出可能としている。排出口６ｂには、図示しないシャッタが設けられ、駆動部によって開閉駆動される。また、各計量ホッパ６に供給された被計量物２０は、図示しない計量器によってそれぞれ計量される。
【００３３】
メモリホッパ７は、それぞれの計量ホッパ６の排出口６ａの下方に配設されている。このメモリホッパ７は、上部に開口７ａを有するとともに下部に排出口７ｂを有し、計量ホッパ６から供給された被計量物２０を排出口７ｂから排出可能としている。また、メモリホッパ７の排出口７ｂにも、ストックホッパ５および計量ホッパ６の場合と同様に図示しないシャッタが設けられ、駆動部によって開閉駆動される。
【００３４】
なお、これら供給トラフ３、ストックホッパ５、計量ホッパ６及びメモリホッパ７は、縦方向に並んで所謂チャンネル８を構成している。
【００３５】
次に、振分け装置１０は、各チャンネル８の下方に設けられている。この振分け装置１０は複数のチャンネルについて共通の一部材であり、その開口部は全チャンネル８にわたって略筒状に形成されている。また、振分け装置１０は、図１（ａ）に示すように、図示しない駆動部によって所定の方向へ揺動される。これによって被計量物２０を、後述する複数のシュート１１の各開口１１ａへ均等に振り分け、且つ、供給する。
【００３６】
次に、シュート１１は、振分け装置１０の下方に２個配設されている。これらのシュート１１，１１は、図１（ａ），（ｂ）に示すようにそれぞれ上部には、長手方向が上述した振分け装置１０の長手方向と同等の長さの開口１１ａを有し、下部には、長手方向の寸法が開口１１ａよりも小径に形成されている排出口１１ｂを有している略筒状に形成されている。また、開口１１ａから排出口１１ｂまでには連続した傾斜面が形成されている。さらに、２個のシュート１１，１１は、連結部材１３によって互いの開口１１ａ，１１ａ同士が近接するように連結されている。また、２個のシュート１１，１１は、連結部材１３を中心として互いの排出口１１ｂ，１１ｂ間の距離が調節自在となっている。なお、本実施の形態では、シュートの数は２個で構成されているが、これに限定されるものではない。
【００３７】
上述した組合せ計量装置１では、タンク２に収容された被計量物２０を各供給トラフ３によって各ストックホッパ５に供給する。各ストックホッパ５は、所定量の被計量物２０を蓄え、この被計量物２０を図示しないシャッタの開放により下方の計量ホッパ６に排出する。なお、各供給トラフ３は、その下方のストックホッパ５の被計量物２０がなくなると新たな被計量物２０をストックホッパ５に供給する。
各計量ホッパ６は、各ストックホッパ５からの被計量物２０を蓄え、この被計量物２０を図示しないそれぞれ計量器にて計量する。
次いで、計量後、各ストックホッパ５は、被計量物２０を図示しないシャッタの開放により下方のメモリホッパ７に排出する。
【００３８】
各計量器の計量信号は、図示しない組合せ選定手段に入力される。組合せ選定手段は、各計量ホッパ６に供給された被計量物２０の重量を各計量器の計量信号に基づいて記憶する。そして、例えば包装ライン等から排出要求信号を受けると、各計量ホッパ６で計量された被計量物２０の重量値の組合せのなかから目標重量範囲内の組合せを選定し、組合せに選定された被計量物２０を収容している計量ホッパ６及び／またはメモリホッパ７に対応する選定信号を出力して各シャッタを開放させる。これにより、目標重量範囲内の重量に組み合わされた被計量物２０が振分け装置１０に供給される。
【００３９】
なお、組合せ選定手段による被計量物２０の選定方法には複数の方法がある。まず、計量ホッパ６に収容されている被計量物２０の中から組合せを選定し、選定した被計量物２０のみをメモリホッパ７に一旦収容してから排出させる方法がある。また、計量ホッパ６で計量された被計量物２０をメモリホッパ７に収容し、メモリホッパ７に収容した被計量物２０の中から組合せを選定する方法がある。そして、計量ホッパ６内の被計量物２０とメモリホッパ７内の被計量物２０の中から組合せを選定する方法等がある。本発明の組合せ計量装置１においては、そのいずれの方法が採用されてもよい。
【００４０】
また、本実施の形態の組合せ計量装置１によるラインを流れる被計量物２０は、図１及び図２に示すように、各チャンネル８からそれぞれ直接振分け装置１０に供給されるため、落下する被計量物２０の１つの塊が１チャンネル分となる。よって、振分け装置１０に供給される被計量物２０の間延びが抑えられ、その落下方向の長さＬ１は短いままである。それにより、振り分けるために必要な先行する被計量物２０とそれに続行する被計量物２０との間の距離Ｌを変えることなくラインを流れる被計量物２０のそれぞれのピッチＰ１は従来よりも相対的に短縮される。したがって、被計量物の高速処理が可能となる。
【００４１】
なお、この実施の形態によれば、各チャンネル８から同時に直接振分け装置１０に供給されることによって、各チャンネルから振分け手段９に到るまでの時間的誤差が無くなり、被計量物２０の長さＬ１が短くなる。これにより、被計量物２０の振り分けを高速に行うことが可能となる。
また、各チャンネル８から排出された被計量物２０を迅速に振り分けることによって、計量装置１が被計量物２０をシュート１１から排出するまでの処理を高速に行うことが可能となる。
さらに、被計量物２０は、各チャンネル８から直接振分け装置１０に供給されるため、振分け装置１０に到るまでに他の装置等が一切不要となる。したがって、集合用のシュートと振り分け手段を別々に設けた場合に比べ、計量装置１全体の高さＨ１を抑えることが可能となる。したがって、被計量物２０が各チャンネル８から排出され、シュート１１の排出口１１ｂに到るまでの落下高さが抑えられる。これにより、被計量物２０の割れ欠けを防止することが可能となる。
また、これまで必要であった最下段のホッパ４ａと振分け装置１０との間に他の装置等が不要となるため、計量装置１の小型化が可能となり、また、装置１を更に簡素な構造とすることが可能となる。
【００４２】
さらに、シュート１１の各排出口１１間の距離を調整自在とすることによって、被計量物２０の排出する方向を適当に調整でき、計量装置１を様々な構成の包装機（様々な間隔で配置される包装機の複数のライン等）に対応させることが可能となる。
【００４３】
また、各チャンネル８の供給トラフ３以下を、ストックホッパ５，計量ホッパ６，メモリホッパ７とすることによって、組合せ選定手段による被計量物２０の選定方法を前述したように複数通り得ることが可能となる。
【００４４】
なお、本実施の形態では、振分け装置１０は、全チャンネルにわたって一体的に形成されている構成としたが、振分け装置１０が数チャンネルごとに分割形成されている構成としてもよい。これにより、それぞれの振分け装置１０を別々の駆動源で駆動させることができる。つまり、１つ１つの振分け装置を小さい駆動力で動かすことが可能となり、大きな駆動力が不要となる。
【００４５】
また、本実施の形態では、各チャンネル８の下方に振分け装置１０を設けていたが、各チャンネル８の最下段に配置されているホッパ４ａ（本実施の形態ではメモリホッパ７）に振分け機能が備わった構成としてもよい。これにより、この計量装置１は、専用の振分け装置１０が不要となり、装置１の小型化が可能となる。また、計量装置１を更に簡素な構造とすることができる。
【００４６】
さらに、本実施の形態では、振分け装置１０は、全チャンネルにわたっている開口部を有した略筒状に形成されているが、長手方向が全チャンネルにわたる長さの略板状の部材を揺動させ、被計量物２０を各シュート１１の開口１１ａへと振り分ける振分け装置１０としてもよい。これにより、振分け装置１０は、より簡素な構造となる。したがって、計量装置１を更に簡素な構造とすることが可能となる。
【００４７】
また、本実施の形態では、シュート１１は、開口１１ａと排出口１１ｂを有した略筒状に形成され、２つのシュート１１，１１が連結されている構成となっているが、図３に示すように、板状部材３２の両側にこの板状部材３２と直交してガイド板３３が設けられているシュート３１が、背合わせに接続形成されている構成となった板状シュート３０としてもよい。これにより、シュート１１の構造がより簡素なものとなる。したがって、計量装置１を更に簡素な構造とすることが可能となる。
【００４８】
【発明の効果】
以上説明したように本発明による組合せ計量装置によれば、各チャンネルから排出された被計量物は、同時に直接振り分けられてシュートに入るため、各チャンネルから振分け手段に到るまでの時間的誤差が無くなり、被計量物の製品の長さが短くなるため、振り分け動作を高速に行うことが可能となる。
さらに、被計量物は、各チャンネルからそれぞれ直接振分け手段に供給されるため、振分け手段に到る被計量物は１チャンネル分が１つの塊となる。よって、振り分けを行う際の被計量物の塊の落下方向の長さは、複数チャンネル分を集合させた長い寸法とはならず、間延びのない短いままである。それにより、振り分けるために必要な先行する被計量物とそれに続行する被計量物との間の距離を変えることなく被計量物のピッチは従来よりも相対的に短縮される。これによっても、この計量装置の高速処理を可能としている。
また、被計量物は、各チャンネルから直接振分け手段に入って振り分けられるため、振分け手段に到るまでに他の装置等が一切不要となる。したがって、集合用のシュートと振り分け手段を別々に設けた場合に比べ、装置全体の高さを抑えることができる。これにより、被計量物が各チャンネルから排出され、シュートの排出口に到るまでの落下高さが抑えら、被計量物の割れ欠けを防止することができる。
【００４９】
さらに、振分け手段を、所定数のチャンネルごとに対応するよう分割形成することによって、それぞれの振分け手段を別々の駆動源で駆動させることができる。したがって、１つの振分け手段に対して駆動力を小さくすることができ、大きな駆動力を必要としない。
【００５０】
また、これまで必要であった最下段のホッパと振分け手段との間に他の装置等が不要となるため、計量装置を小型に製造でき、更に簡素な構造とすることができる。
【００５１】
また、各シュートのそれぞれの排出口間の距離を調整自在とすることによって、被計量物の排出する方向を適当に調整でき、この組合せ計量装置を様々な構成の包装機に対応させることができる。
【００５２】
さらに、各チャンネルの供給トラフ以下が、ストックホッパ，計量ホッパ，メモリホッパによって構成されることによって、組合せ選定手段による被計量物の選定方法を複数通り得ることができる。
【図面の簡単な説明】
【図１】（ａ）本発明の組合せ計量装置の一実施の形態を示す側面図である。
（ｂ）本発明の組合せ計量装置の一実施の形態を示す正面図である。
【図２】同組合せ計量装置のラインを流れる被計量物を示す概念図である。
【図３】同組合せ計量装置を構成するシュートの他の実施の形態を示す斜視図である。
【図４】（ａ）従来の組合せ計量装置の一例を示す正面断面図である。
（ｂ）従来の組合せ計量装置の一例を示す側面図である。
【図５】（ａ）従来の組合せ計量装置の一例を示す側面図である。
（ｂ）従来の組合せ計量装置の一例を示す正面図である。
【図６】従来の組合せ計量装置のラインを流れる被計量物を示す概念図である。
【符号の説明】
１…組合せ計量装置
３…供給トラフ
４…ホッパ
４ａ…最下段のホッパ
５…ストックホッパ
６…計量ホッパ
７…メモリホッパ
８…チャンネル
９…振分け手段
１１…シュート
２０…被計量物
【図１】
2004257759.tif 000003
【図２】
2004257759.tif 000004
【図３】
2004257759.tif 000005
【図４】
2004257759.tif 000006
【図５】
2004257759.tif 000007
【図６】
2004257759.tif 000008